(57)【要約】【課題】複数のユーザ端末の一括操作を可能とすることで、ユーザ端末ごとに操作を不要とし、ユーザの負担を軽減する。【解決手段】施設管理装置１は、ユーザ端末２から通知された監視画面に対する操作情報を受信する操作情報受信手段１４と、操作情報受信手段１４により操作情報が受信された場合に、送信元以外のユーザ端末２に対して当該操作情報を通知する操作情報通知手段１５とを備え、ユーザ端末２は、監視画面に対してユーザによる操作を実行する操作実行手段２４と、操作実行手段２４により実行された操作を示す操作情報を施設管理装置１に通知する操作情報通知手段２５と、施設管理装置１から通知された操作情報を受信する操作情報受信手段２６と、操作情報受信手段２６により操作情報が受信された場合に、当該操作情報が示す操作を実行する一括操作実行手段２７とを備えた。【選択図】図１
2014170478.tif 000002
【特許請求の範囲】
【請求項１】
施設内の設備機器を監視制御する施設管理装置と、前記施設管理装置と通信回線を介して接続され、当該施設管理装置から前記設備機器に関する情報を取得して監視画面を表示する複数のユーザ端末とを備えた施設管理システムであって、
前記施設管理装置は、
前記ユーザ端末から通知された前記監視画面に対する操作情報を受信する装置側操作情報受信手段と、
前記装置側操作情報受信手段により操作情報が受信された場合に、送信元以外の前記ユーザ端末に対して当該操作情報を通知する装置側操作情報通知手段とを備え、
前記ユーザ端末は、
前記監視画面に対してユーザによる操作を実行する操作実行手段と、
前記操作実行手段により実行された操作を示す操作情報を前記施設管理装置に通知する端末側操作情報通知手段と、
前記施設管理装置から通知された操作情報を受信する端末側操作情報受信手段と、
前記端末側操作情報受信手段により操作情報が受信された場合に、当該操作情報が示す操作を実行する一括操作実行手段とを備えた
ことを特徴とする施設管理システム。
【請求項２】
施設内の設備機器を監視制御し、自機から前記設備機器に関する情報を取得して監視画面を表示する複数のユーザ端末と通信回線を介して接続された施設管理装置であって、
前記ユーザ端末から通知された前記監視画面に対する操作情報を受信する装置側操作情報受信手段と、
前記装置側操作情報受信手段により操作情報が受信された場合に、送信元以外の前記ユーザ端末に対して当該操作情報を通知する装置側操作情報通知手段と
を備えたことを特徴とする施設管理装置。
【請求項３】
施設内の設備機器を監視制御する施設管理装置と通信回線を介して接続され、当該施設管理装置から前記設備機器に関する情報を取得して監視画面を表示する複数のユーザ端末であって、
前記監視画面に対してユーザによる操作を実行する操作実行手段と、
前記操作実行手段により実行された操作を示す操作情報を前記施設管理装置に通知する端末側操作情報通知手段と、
前記施設管理装置から通知された操作情報を受信する端末側操作情報受信手段と、
前記端末側操作情報受信手段により操作情報が受信された場合に、当該操作情報が示す操作を実行する一括操作実行手段と
を備えたことを特徴とするユーザ端末。
【請求項４】
施設内の設備機器を監視制御する施設管理装置と、前記施設管理装置と通信回線を介して接続され、当該施設管理装置から前記設備機器に関する情報を取得して監視画面を表示する複数のユーザ端末とを備えた施設管理システムによる施設管理方法であって、
前記施設管理装置は、
前記ユーザ端末から通知された前記監視画面に対する操作情報を受信する装置側操作情報受信ステップと、
前記装置側操作情報受信ステップにおいて操作情報を受信した場合に、送信元以外の前記ユーザ端末に対して当該操作情報を通知する装置側操作情報通知ステップとを有し、
前記ユーザ端末は、
前記監視画面に対してユーザによる操作を実行する操作実行ステップと、
前記操作実行ステップにおいて実行した操作を示す操作情報を前記施設管理装置に通知する端末側操作情報通知ステップと、
前記施設管理装置から通知された操作情報を受信する端末側操作情報受信ステップと、
前記端末側操作情報受信ステップにおいて操作情報を受信した場合に、当該操作情報が示す操作を実行する一括操作実行ステップとを有する
ことを特徴とする施設管理方法。
【発明の詳細な説明】
【技術分野】
【０００１】
この発明は、施設内の設備機器を監視制御する施設管理装置と、施設管理装置と通信回線を介して接続され、当該施設管理装置から設備機器に関する情報を取得して監視画面を表示する複数のユーザ端末とを備えた施設管理システム、施設管理装置、ユーザ端末および施設管理方法に関するものである。
【背景技術】
【０００２】
従来から施設管理システムでは、施設管理装置にて、施設（テナントビル、病院、ホテル、商標施設、学校など）における設備機器（空調、防災、防犯、照明、エレベータなど）から運転状況、温度や流量などの計測データ、入退室履歴、設備の警報データ、制御出力値などの管理ポイント情報を収集している。そして、収集した管理ポイント情報を通信回線を介してユーザ端末（クライアントＰＣ）に通知し、当該ユーザ端末にて監視画面を表示することで当該管理ポイント情報を閲覧できるようにしている（例えば特許文献１，２参照）。
【先行技術文献】
【特許文献】
【０００３】
【特許文献１】特開２００１−１１１７０４号公報
【特許文献２】特開２００９−１４５９４０号公報
【発明の概要】
【発明が解決しようとする課題】
【０００４】
一方、Ｗｅｂサーバ機能を有する施設管理システムにおいては、常時、複数のユーザが同時に接続している。そして、従来の監視操作では、ユーザ端末ごとに操作を行っている。すなわち、１台のユーザ端末で操作を行っても、他のユーザ端末では当該操作が反映されない。そのため、同一の操作をそれぞれのユーザ端末で行わなければならず、ユーザの負荷となっているという課題があった。
【０００５】
この発明は、上記のような課題を解決するためになされたもので、複数のユーザ端末の一括操作を可能とすることで、ユーザ端末ごとに操作を不要とし、ユーザの負担を軽減できる施設管理システム、施設管理装置、ユーザ端末および施設管理方法を提供することを目的としている。
【課題を解決するための手段】
【０００６】
この発明に係る施設管理システムは、施設内の設備機器を監視制御する施設管理装置と、施設管理装置と通信回線を介して接続され、当該施設管理装置から設備機器に関する情報を取得して監視画面を表示する複数のユーザ端末とを備え、施設管理装置は、ユーザ端末から通知された監視画面に対する操作情報を受信する装置側操作情報受信手段と、装置側操作情報受信手段により操作情報が受信された場合に、送信元以外のユーザ端末に対して当該操作情報を通知する装置側操作情報通知手段とを備え、ユーザ端末は、監視画面に対してユーザによる操作を実行する操作実行手段と、操作実行手段により実行された操作を示す操作情報を施設管理装置に通知する端末側操作情報通知手段と、施設管理装置から通知された操作情報を受信する端末側操作情報受信手段と、端末側操作情報受信手段により操作情報が受信された場合に、当該操作情報が示す操作を実行する一括操作実行手段とを備えたものである。
【０００７】
また、この発明に係る施設管理方法は、施設内の設備機器を監視制御する施設管理装置と、施設管理装置と通信回線を介して接続され、当該施設管理装置から設備機器に関する情報を取得して監視画面を表示する複数のユーザ端末とを備えた施設管理システムによる施設管理方法であって、施設管理装置は、ユーザ端末から通知された監視画面に対する操作情報を受信する装置側操作情報受信ステップと、装置側操作情報受信ステップにおいて操作情報を受信した場合に、送信元以外のユーザ端末に対して当該操作情報を通知する装置側操作情報通知ステップとを有し、ユーザ端末は、監視画面に対してユーザによる操作を実行する操作実行ステップと、操作実行ステップにおいて実行した操作を示す操作情報を施設管理装置に通知する端末側操作情報通知ステップと、施設管理装置から通知された操作情報を受信する端末側操作情報受信ステップと、端末側操作情報受信ステップにおいて操作情報を受信した場合に、当該操作情報が示す操作を実行する一括操作実行ステップとを有するものである。
【発明の効果】
【０００８】
この発明によれば、上記のように構成したので、複数のユーザ端末の一括操作を可能とすることで、ユーザ端末ごとに操作を不要とし、ユーザの負担を軽減できる。
【図面の簡単な説明】
【０００９】
【図１】この発明の実施の形態１に係る施設管理システムの構成を示す図である。
【図２】この発明の実施の形態１に係る施設管理システムの動作を示すシーケンス図である。
【発明を実施するための形態】
【００１０】
以下、この発明の実施の形態について図面を参照しながら詳細に説明する。
実施の形態１．
図１はこの発明の実施の形態１に係る施設管理システムの構成を示すブロック図である。
施設管理システムは、図１に示すように、施設内の設備機器（不図示）を監視制御する施設管理装置１と、施設管理装置１と通信回線を介して接続され、施設管理装置１から設備機器に関する情報を取得して監視画面を表示する複数のユーザ端末２（クライアントＰＣ）とから構成されている。なお図１では、ユーザ端末２を１台のみ示している。
【００１１】
施設管理装置１は、Ｗｅｂサーバ機能を有するとともに複数のユーザ端末２の一括操作機能を有している。この施設管理装置１は、管理ポイント情報収集手段１１、管理ポイント情報記録手段１２、管理ポイント情報送信手段１３、操作情報受信手段（装置側操作情報受信手段）１４および操作情報通知手段（装置側操作情報通知手段）１５から構成されている。
【００１２】
管理ポイント情報収集手段１１は、施設内の設備機器から所定の管理ポイントの情報（例えば、温度や電力量、Ｃｏ２濃度、ポンプ回転数、流量、機器の運転／停止、機器の警報データなど、監視する情報を管理ポイント情報として定義している）を収集するものである。管理ポイント情報は、予め定義されているデータ種別（例えば、アナログデータやデジタルデータ、積算データ、警報データなど）に応じて予め定められた周期で収集されるものと、管理ポイントの状態が変化（例えば、ＯＮ→ＯＦＦ，ＯＦＦ→ＯＮ）した際に変化があったことが通知されるものとがある。
【００１３】
管理ポイント情報記録手段１２は、管理ポイント情報収集手段１１により収集された管理ポイント情報を記録するものである。
管理ポイント情報送信手段１３は、ユーザ端末２からの要求に応じて、管理ポイント情報記録手段１２に記録されている所定の管理ポイント情報を抽出し、当該ユーザ端末２に送信するものである。
【００１４】
操作情報受信手段１４は、ユーザ端末２から通知された監視画面に対する操作情報を受信するものである。
操作情報通知手段１５は、操作情報受信手段１４により操作情報が受信された場合に、送信元以外のユーザ端末２に対して当該操作情報を通知するものである。
【００１５】
また、ユーザ端末２は、管理ポイント情報要求手段２１、管理ポイント情報受信手段２２、監視画面表示手段２３、操作実行手段２４、操作情報通知手段（端末側操作情報通知手段）２５、操作情報受信手段（端末側操作情報受信手段）２６および一括操作実行手段２７から構成されている。
【００１６】
管理ポイント情報要求手段２１は、施設管理装置１に対して管理ポイント情報の送信を要求するものである。
管理ポイント情報受信手段２２は、管理ポイント情報要求手段２１による要求に応じて施設管理装置１から送信された管理ポイント情報を受信するものである。
監視画面表示手段２３は、管理ポイント情報受信手段２２により受信された管理ポイント情報に基づいて、監視画面を生成してモニタ（不図示）上に表示するものである。
【００１７】
操作実行手段２４は、監視画面表示手段２３により表示された監視画面に対してユーザによる操作を実行するものである。
操作情報通知手段２５は、操作実行手段２４により実行された操作を示す操作情報を施設管理装置１に通知するものである。
【００１８】
操作情報受信手段２６は、施設管理装置１から通知された操作情報を受信するものである。
一括操作実行手段２７は、端末側操作情報受信手段２６により操作情報が受信された場合に、当該操作情報が示す操作を実行するものである。
【００１９】
次に、上記のように構成された施設管理システムの動作について、図２を参照しながら説明する。なお図２では、３台のユーザ端末２（ユーザ端末Ａ〜Ｃ）を示し、ユーザ端末Ａにおいてユーザ操作が行われた場合について示す。
なお、施設管理装置１の管理ポイント情報収集手段１１は、所定の周期で施設内の設備機器から所定の管理ポイント情報を収集し、管理ポイント情報記録手段１２は、この管理ポイント情報を記録している。
【００２０】
まず、ユーザ端末Ａにおいて施設内の設備機器の監視を行う場合に、ユーザ端末Ａの管理ポイント情報要求手段２１は、施設管理装置１に対して管理ポイント情報の送信を要求する（ステップＳＴ１）。
【００２１】
次いで、施設管理装置１の管理ポイント情報送信手段１３は、ユーザ端末Ａからの要求に応じて、管理ポイント情報記録手段１２に記録されている所定の管理ポイント情報を抽出し、ユーザ端末Ａに送信する（ステップＳＴ２，３）。そして、ユーザ端末Ａの管理ポイント情報受信手段２２は、この管理ポイント情報を受信する（ステップＳＴ４）。
【００２２】
次いで、ユーザ端末Ａの監視画面表示手段２３は、管理ポイント情報受信手段２２により受信された管理ポイント情報に基づいて、監視画面を生成してモニタ（不図示）上に表示する（ステップＳＴ５）。
【００２３】
次いで、ユーザ端末Ａの操作実行手段２４は、監視画面表示手段２３によりモニタ上に表示された監視画面に対して、ユーザによる操作を実行する（ステップＳＴ６、操作実行ステップ）。
【００２４】
次いで、ユーザ端末Ａの操作情報通知手段２５は、操作実行手段２４により実行された操作を示す操作情報を施設管理装置１に通知する（ステップＳＴ７、端末側操作情報通知ステップ）。そして、施設管理装置１の操作情報受信手段１４は、この操作情報を受信する（ステップＳＴ８、装置側操作情報受信ステップ）。
【００２５】
次いで、施設管理装置１の操作情報通知手段１５は、操作情報受信手段１４により受信された操作情報を送信元（ユーザ端末Ａ）以外のユーザ端末Ｂ，Ｃに対して通知する（ステップＳＴ９、装置側操作情報通知ステップ）。そして、ユーザ端末Ｂ，Ｃの操作情報受信手段２６は、この操作情報を受信する（ステップＳＴ１０、端末側操作情報受信ステップ）。
【００２６】
次いで、ユーザ端末Ｂ，Ｃの一括操作実行手段２７は、操作情報受信手段２６により受信された操作情報が示す操作を実行する（ステップＳＴ１１、一括操作実行ステップ）。
【００２７】
上記のステップＳＴ６〜１１の動作により、複数のユーザ端末２を連携させて、１台のユーザ端末２で操作を実行するだけで、他のユーザ端末２にも同じ操作を実行させることが可能となる。
【００２８】
これにより、例えば、ある設備機器に異常が発生し各ユーザ端末２においてブザーが鳴動している場合において、ユーザ端末Ａでブザーを停止した場合には、システムに接続されている他のユーザ端末Ｂ，Ｃのブザーも停止することができる。また、ユーザ端末Ａで監視を終了した（監視画面を閉じた）場合に、システムに接続されている他のユーザ端末Ｂ，Ｃの監視も同時に終了することができる。また、ユーザ端末Ａでユーザ情報を変更した場合に、システムに接続されている他のユーザ端末Ｂ，Ｃに対して変更した情報で監視画面を表示することができる。
【００２９】
以上のように、この実施の形態１によれば、ユーザ端末２で操作を実行した場合にその操作情報を施設管理装置１に通知し、施設管理装置１で当該操作情報を他のユーザ端末２に通知し、ユーザ端末２で施設管理装置１から操作情報を受信した場合に同じ操作を実行するように構成したので、複数のユーザ端末の一括操作を可能とすることで、ユーザ端末ごとに操作を不要とし、ユーザの負担を軽減できる。
【００３０】
なお、本願発明はその発明の範囲内において、実施の形態の任意の構成要素の変形、もしくは実施の形態の任意の構成要素の省略が可能である。
【符号の説明】
【００３１】
１  施設管理装置
２  ユーザ端末（クライアントＰＣ）
１１  管理ポイント情報収集手段
１２  管理ポイント情報記録手段
１３  管理ポイント情報送信手段
１４  操作情報受信手段（装置側操作情報受信手段）
１５  操作情報通知手段（装置側操作情報通知手段）
２１  管理ポイント情報要求手段
２２  管理ポイント情報受信手段
２３  監視画面表示手段
２４  操作実行手段
２５  操作情報通知手段（端末側操作情報通知手段）
２６  操作情報受信手段（端末側操作情報受信手段）
２７  一括操作実行手段
【図１】
2014170478.tif 000003
【図２】
2014170478.tif 000004